(57)【特許請求の範囲】
【請求項１】
下部の床パネルの周囲に壁パネルが取り付けられた建物ユニット本体のうち、前記床パネルの下方には、下階用天井パネルが予め取り付けられ、前記床パネルと該下階用天井パネルとの間に、ダクトを介装するとともに、前記建物ユニット本体には、前記床パネルよりも上方の位置に前記ダクトに接続される換気ユニットが設けられた上階用建物ユニットを用いたユニット建物であって、
前記上階用建物ユニットの前記建物ユニット本体を、下階用建物ユニットの上方に設置するとともに、内部に上階用のダクトが配策された小屋根裏床パネルを、前記上階用建物ユニットの前記建物ユニット本体の上部に載置し、前記上階用のダクトを前記換気ユニットと接続させ、前記換気ユニットから前記ダクト内にエアを挿通させて、前記下階用建物ユニット内空間への給気を行うと共に、前記小屋根裏床パネル内に配策された上階用のダクト内に前記換気ユニットからエアを挿通させて、前記上階用建物ユニットの建物ユニット本体内空間への給気を行うことを特徴とするユニット建物。
【発明の詳細な説明】
【０００１】
【発明の属する技術分野】
この発明は、換気装置の施工作業性及びメンテナンス性が良好であると共に、効率的に換気を行うことが出来、特に、天井構面をユニット単独状態で有さないユニット工法に用いて好適な建物ユニットを用いたユニット建物に関するものである。
【０００２】
【従来の技術】
従来のユニット建物の通風ダクト構造としては、例えば、図８に示す特開平１１−２３０６０７号公報に記載されたようなものが知られている。
【０００３】
このようなものでは、ユニット建物１を構成する各建物ユニット２ａ〜２ｆの天井部３には、各々通風ダクト４ａ〜４ｅが設けられている。
【０００４】
これらの通風ダクト４ａ〜４ｅは、各給気ユニット７ａ〜７ｆに各々接続されている。
【０００５】
また、これらの通風ダクト４ａ〜４ｅは、隣接する他の建物ユニット２ａ〜２ｆの天井部３に設けられた他の通風ダクト４ａ〜４ｅに対して、複数の分岐管５…を介して接続されている。
【０００６】
このように構成された従来の通風ダクト構造では、前記各通風ダクト４ａ〜４ｅの外径形状が大きくても、接続部分では小さな断面積の分岐管５…も分割されるので、梁６の強度を低下させる虞がない。
【０００７】
【発明が解決しようとする課題】
しかしながら、このような従来のユニット建物の通風ダクト構造では、前記通風ダクト４ａ〜４ｅが、天井部３内に設けられているので、例えば、ユニット単独の段階で天井構面を有していない建物ユニット（例えば、本願発明の出願人らが提案する特願平１０−１２２２６号等参照）では、工場内にて前記各通風ダクト４ａ〜４ｅ等を施工することが出来ない。このため、施工性が良好であるとは言い難かった。
【０００８】
また、施工後は、前記通風ダクト４ａ〜４ｅを接続する前記各給気ユニット７ａ〜７ｆが、天井裏に位置することとなり、メンテナンス性が良好であるとは言い難かった。
【０００９】
更に、前記従来の通風ダクト構造では、各階毎に前記各給気ユニット７ａ〜７ｆを設ける構成を必要とする。
【００１０】
従って、施工及び換気の効率が良好ではないと言った問題もあった。
【００１１】
そこで、本発明の目的は、上記の問題点を解消し、換気装置の施工作業性及びメンテナンス性が良好であると共に、効率的に換気を行うことが出来る建物ユニットを用いたユニット建物を提供することを目的としている。
【００１２】
【課題を解決するための手段】
上記課題を解決するために、請求項１に記載された発明のユニット建物では、下部の床パネルの周囲に壁パネルが取り付けられた建物ユニット本体のうち、前記床パネルの下方には、下階用天井パネルが予め取り付けられ、前記床パネルと該下階用天井パネルとの間に、ダクトを介装する上階用建物ユニットを用いたことを特徴としている。
【００１３】
このように構成された請求項１記載のものでは、前記建物ユニット本体が下部の床パネルの周囲に壁パネルが取り付けられて、上方が開放されていても、前記床パネルの下方に、下階用天井パネルが予め取り付けられ、前記床パネルと該下階用天井パネルとの間に、ダクトが介装されているので、下階の建物ユニットに天井構面を設ける必要がなく、例えば、前記建物ユニット本体が単独の状態で、工場等にて予め前記床パネルと該下階用天井パネルとの間に、前記ダクトを構成するダクト本体或いはダクト部品を配策してもよい。
【００１４】
このため、施工現場における工程数を減少させることが出来て、施工作業性が良好である。
【００１５】
また、前記上階用建物ユニットの前記建物ユニット本体には、前記床パネルよりも上方の位置に前記ダクトに接続される換気ユニットが設けられていることも特徴としている。
【００１６】
よって、前記換気ユニットが、前記建物ユニット本体の前記床パネルよりも上方の位置に設けられているので、例えば、該換気ユニットを設けたメンテナンス室を、居室と上下方向で同一レベルに形成することにより、従来のように、下階から天井裏まで上がってメンテナンスを行う必要が無くなり、メンテナンス性が良好である。
【００１７】
そして、前記上階用建物ユニットの前記建物ユニット本体を、下階用建物ユニットの上方に設置するとともに、内部に上階用のダクトが配策された小屋根裏床パネルを、前記上階用建物ユニットの前記建物ユニット本体の上部に載置し、前記上階用のダクトを前記換気ユニットと接続させ、前記換気ユニットから前記ダクト内にエアを挿通させて、前記下階用建物ユニット内空間への給気を行うと共に、前記小屋根裏床パネル内に配策された上階用のダクト内に前記換気ユニットからエアを挿通させて、前記上階用建物ユニットの建物ユニット本体内空間への給気を行うことを特徴としている。
【００１８】
よって、一つの前記換気ユニットで、前記上階用建物ユニット内及び下階用建物ユニット内を換気出来、施工及び換気の効率が良好である。
【００１９】
【発明の実施の形態１】
以下、本発明の具体的な実施の形態１について、図示例と共に説明する。
【００２０】
図１〜図７は、この発明の実施の形態１の建物ユニット及びユニット建物を示すものである。なお、前記従来例と同一乃至均等な部分については、同一符号を付して説明する。
【００２１】
まず、構成を説明すると、この実施の形態１のユニット建物１０では、下階の建物ユニット８，９等の上に、上階の建物ユニット１１，１２，１３等が載置されると共に、３階部分に相当する小屋根裏用床パネル１４，１５及び屋根部材１６が、これらの上階の建物ユニット１１，１２，１３の上部に載置されて、主に構成されている。
【００２２】
このうち、建物ユニット１１について詳述すると、この実施の形態１の建物ユニット本体１１ａは、図２に示すように、下部の略平板状の床パネル１７の周囲に壁パネル１８，１８が、三方或いは四方に取り付けられて、上部を開放した略ボックス状を呈している。
【００２３】
この建物ユニット本体１１ａのうち、前記床パネル１４の下方には、下階用天井パネル１９が予め取り付けられている。この下階用天井パネル１９は、ユニット建物１０の構成状態で、前記下階の建物ユニット８の天井部に位置するものである。
【００２４】
そして、前記床パネル１７とこの下階用天井パネル１９との間には、予め給気ダクト２０及び排気ダクト２１が介装されている。このうち、給気ダクト２０の先端には、チャンバ部材２２が装着されて、複数の分岐管２３…に接続されている。この給気ダクト２０の他端には、エルボ管２４が接続されて、前記建物ユニット本体１１ａ内のダクトルーム１１ｂ内に上下方向に沿って延設される縦ダクト２５に連結されている。
【００２５】
また、前記排気ダクト２１の先端には、エルボ管２６を介して、前記下階居室空間内に連通される排気グリル２６に接続されている。この排気ダクト２１の他端には、エルボ管２４が接続されて、前記建物ユニット本体１１ａ内のダクトルーム１１ｂ内に上下方向に沿って延設される縦ダクト２９に連結されている。
【００２６】
これらの各縦ダクト２５，２９の他端２５ａ，２９ａは、前記ダクトルーム１１ｂと隔壁３０を介して設けられたメンテナンス室１１ｃ内まで延設されて、前記床パネル１７よりも上方となるように、棚部材３１の上方に載置された給気ユニット３２に接続されている。
【００２７】
この給気ユニット３２には、前記小屋根裏用床パネル１４内まで延設される給気ダクト３３及び排気ダクト３４が各々端部３３ａ及び３４ａを接続して連結されている。
【００２８】
このうち、前記給気ダクト３３の先端３３ｂには、エルボ管３５を介して、天井ダクト３６及び分岐チャンバ３７が連結されている。この分岐チャンバ３７には、このメンテナンス室１１ｃが設けられた２階の各居室へ給気を行う複数の分岐管３８が接続されている。
【００２９】
また、前記排気ダクト３４の他端部には、図示省略の排気グリルが設けられて、居室内のエアの排気を行うように構成されている。
【００３０】
更に、この実施の形態１の給気ユニット３２には、屋外と連通する断熱ダクト３９，４０が接続されていて、熱エネルギーの減少を抑制して屋外気を導入或いは屋外へ居室内空気を排気出来るように構成されている。なお、図中符号４１はドレインパイプである。
【００３１】
次に、この実施の形態１の作用について施工順序に沿って説明する。
【００３２】
この実施の形態１では、まず、図２に示すように、前記建物ユニット１１が下部の床パネル１７の周囲に壁パネル１８を取り付けて、略ボックス状を呈することにより上方が開放された建物ユニット本体１１ａの内部のメンテナンス室１１ｃに、前記換気ユニット３２が装着される。この実施の形態１では、工場内において、前記床パネル１７の下方に、下階用天井パネル１９が予め取り付けられ、前記床パネル１７とこの下階用天井パネル１９との間に、換気ダクト２０，２１及びチャンバ部材２２、分岐管２３…、各エルボ管２４，２６，２８等が、予め介装される。
【００３３】
また、前記小屋根裏用床パネル１４には、前記エルボ管３５、天井ダクト３６、分岐チャンバ３７及び各分岐管３８…等が設けられる。
【００３４】
そして、図１に示すように、天井構面を設けていない下階の建物ユニット８に、前記建物ユニット本体１１ａ及び小屋根裏用床パネル１４を載置して固定する。この建物ユニット本体１１ａでは、単独の状態で、工場等にて予め前記床パネル１７とこの下階用天井パネル１９との間に、前記ダクト等を構成する吸，排気ダクト２０，２１本体或いはダクト部品として、チャンバ部材２２やエルボ管２４等が配策されることにより、施工現場における工程数を減少させることが出来て、施工作業性が良好である。
【００３５】
また、前記換気ユニット３２が、前記建物ユニット本体１１の前記床パネル１７よりも上方の位置に設けられているので、例えば、換気ユニット３２を設けたメンテナンス室１１ｃが、２階の居室と上下方向で同一レベルに形成されることにより、従来のように、下階から天井裏まで上がってメンテナンスを行う必要等が無くなり、直ちにメンテナンスを行えてメンテナンス性が良好である。
【００３６】
そして、この実施の形態１では、一つの前記換気ユニット３２で、前記２階の建物ユニット本体１１ａ内及び下階の建物ユニット８，９等内を換気出来、施工及び換気の効率が良好である。
【００３７】
以上、この発明の実施の形態１を図面により詳述してきたが、具体的な構成はこの実施の形態１に限らず、この発明の要旨を逸脱しない範囲の設計の変更等があってもこの発明に含まれる。
【００３８】
例えば、前記実施の形態１では、２階に用いられる建物ユニット１１の前記床パネル１７と下階用天井パネル１９との間に、給排気ダクト２０，２１を介装させているが、特にこれに限らず、例えば３階、４階の建物ユニット等、何れの階の建物ユニットであっても前記床パネルの下方に下階用天井パネルが予め取り付けられるものであるならば良い。
【００３９】
【発明の効果】
以上説明してきたように、請求項１の発明によれば、前記建物ユニット本体が下部の床パネルの周囲に壁パネルが取り付けられて、前記床パネルの下方に、下階用天井パネルが予め取り付けられ、前記床パネルと該下階用天井パネルとの間に、ダクトが介装されているので、下階の建物ユニットに天井構面を設ける必要がなく、例えば、前記建物ユニット本体が単独の状態で、工場等にて予め前記床パネルと該下階用天井パネルとの間に、前記ダクトを構成するダクト本体或いはダクト部品を配策してもよい。
【００４０】
このため、施工現場における工程数を減少させることが出来て、施工作業性が良好である。
【００４１】
また、前記換気ユニットが、前記建物ユニット本体の前記床パネルよりも上方の位置に設けられているので、例えば、該換気ユニットを設けたメンテナンス室を、居室と上下方向で同一レベルに形成することにより、従来のように、下階から天井裏まで上がってメンテナンスを行う必要が無くなり、メンテナンス性が良好である。
【００４２】
そして、一つの前記換気ユニットで、上階の建物ユニット内及び下階の建物ユニット内を換気出来、施工及び換気の効率が良好である、という実用上有益な効果を発揮し得る。
【図面の簡単な説明】
【図１】本発明の実施の形態１の建物ユニット及びユニット建物で、構成を説明するユニット建物の模式図である。
【図２】実施の形態１の建物ユニットで、構成を説明する分解斜視図である。
【図３】実施の形態１のユニット建物で、構成を説明する平面図である。
【図４】実施の形態１のユニット建物で、図５中Ｄ−Ｄ線に沿った位置での構成を説明する断面図である。
【図５】実施の形態１のユニット建物で、図３中Ａ−Ａ線に沿った位置での構成を説明する断面図である。
【図６】実施の形態１のユニット建物で、図３中Ｂ−Ｂ線に沿った位置での構成を説明する断面図である。
【図７】実施の形態１のユニット建物で、図６中Ｅ−Ｅ線にそった位置での断面図である。
【図８】従来例のユニット建物の通風ダクト構造を示し、天井部の平面図である。
【符号の説明】
１０                  ユニット建物
１１                  建物ユニット
１１ａ                建物ユニット本体
１４                  小屋根裏用床パネル
１７                  床パネル
１９                  下階用天井パネル
２０                  給気ダクト
２１                  排気ダクト
３２                  給気ユニット
【図１】
0004388652.tif 000002
【図２】
0004388652.tif 000003
【図３】
0004388652.tif 000004
【図４】
0004388652.tif 000005
【図５】
0004388652.tif 000006
【図６】
0004388652.tif 000007
【図７】
0004388652.tif 000008
【図８】
0004388652.tif 000009